Podtech/llm-jp-corpus-v4-ja_patent huggingface dataset:
【手続補正書】
【提出日】平成16年4月5日(2004.4.5)
【手続補正１】
【補正対象書類名】明細書
【補正対象項目名】特許請求の範囲
【補正方法】変更
【補正の内容】
【特許請求の範囲】
【請求項１】
インクジェットハードコピー装置の製造方法であって、
複数のインクジェットプリント機構とインタフェースし及び該インクジェットプリント機構を移動させる複数の移送機構を有するインクジェットハードコピーエンジンを作製し、該インクジェットハードコピーエンジンがインクジェット湿式構成要素を有しておらず、
複数の一体式の交換可能なインクジェット記録エンジンを作製し、該複数のインクジェット記録エンジンが全てのインクジェット湿式構成要素を有しており、該インクジェット湿式構成要素が、
（１）前記複数のインクジェットプリント機構のうちの少なくとも１つであって、複数のインクジェットノズルを有する、インクジェットプリント機構と、
（２）前記インクジェットプリント機構の機能的な保全性を維持する、少なくとも１つのサービス機構であって、ノズルをキャップするための少なくとも１つのキャップ、無駄なインクを受容し除去するための少なくとも１つの無駄インク容器、及び前記ノズルのワイピングを行うための少なくとも１つのワイパを含む、少なくとも１つのサービス機構と、
（３）少なくとも１つの所定のインクと、
（４）所定量の前記少なくとも１つの所定のインクを収容する、少なくとも１つのインク容器と、
（５）前記インクを前記容器から前記インクジェットプリント機構へ供給する少なくとも１つの供給機構と、
（６）前記インクジェット記録エンジンに対する電力供給及び信号制御を行うための少なくとも１つの電気コネクタと、
（７）前記インクジェットプリント機構、サービス機構、インク、インク容器、供給機構、及び電気コネクタを、選択的に交換可能な一体的なユニットとして、それぞれ動作可能な構成で内部に保持する、ハウジングと
を含み、
前記ハードコピーエンジンが複数の書き込みエンジンと共に再使用可能となるように、前記一体式の交換可能なインクジェット記録エンジンが前記ハードコピーエンジンと交換可能な状態でインタフェースするよう前記ハードコピーエンジン及び前記インクジェット記録エンジンを装着する、
という各ステップを有する、インクジェットハードコピー装置の製造方法。
【請求項２】
前記ハードコピーエンジンを前記インクジェット記録エンジンのうちの１つと組み合わせるステップを更に有する、請求項１に記載の製造方法。
【請求項３】
ほぼ等しい平均寿命因子を有する全てのインクジェット湿式構成要素を製造するステップを更に含む、請求項１に記載の製造方法。
【請求項４】
第１の動作平均寿命を有する記録エンジンを製造し、
前記第１の動作平均寿命よりも実質的に長い第２の動作平均寿命を有するハードコピーエンジンを製造する、
という各ステップを更に含む、請求項１に記載の製造方法。
【請求項５】
１つまたは２つ以上のインクジェット装置湿式構成要素を交換可能なものとして作製するステップを更に含む、請求項１に記載の製造方法。
【請求項６】
全てのインクジェット湿式構成要素を消耗品として作製するステップを更に含む、請求項１に記載の製造方法。
【請求項７】
前記複数の一体式の交換可能なインクジェット記録エンジンを作製する前記ステップが、補充可能又は交換可能な少なくとも１つのインクリザーバを組み込むステップを更に含む、請求項１に記載の製造方法。
【請求項８】
前記複数の一体式の交換可能なインクジェット記録エンジンを作製する前記ステップが、
様々な異なるインクジェットプリント特性を有する複数の記録エンジンを作製するステップを更に含む、請求項１に記載の製造方法。
【請求項９】
既知の態様のインクジェットプリンタ用紙搬送装置を備えたインクジェットハードコピーエンジンを有するインクジェットハードコピー装置の組立方法であって、
インクジェットハードコピー装置の全てのプリント及びサービス機能湿式構成要素を有し、及び、少なくとも１つのインクジェットプリントヘッド、少なくとも１つのプリントヘッドキャップ装置、少なくとも１つのワイパ装置、及び少なくとも１つの無駄インク受容及び除去装置を含む、少なくとも１つの一体式のインクジェット記録エンジンモジュールを供給し、
インクジェットハードコピー装置の湿式構成要素を有さない前記インクジェットハードコピーエンジンモジュール内に前記インクジェット記録エンジンモジュールを挿入し、該モジュールの挿入により、前記湿式構成要素が、該ハードコピーエンジンモジュールの前記用紙搬送装置及び前記プリントヘッド移送装置に対し、動作的に機能可能であってプリントヘッドが位置合わせされた構成で、自動的に統合される、
という各ステップを含む、インクジェットハードコピー装置の組立方法。
【請求項１０】
インクジェットハードコピーエンジンを有するインクジェットハードコピー装置の改修方法であって、該ハードコピーエンジンが、湿式構成要素を全く有さず、プリント動作中に少なくとも１つのインクジェットペンを移送する移送機構を有し、及び交換可能なインクジェット記録エンジンを使用し、該方法が、
複数のインクジェット記録エンジンのうちの少なくとも１つを選択し、該複数のインクジェット記録エンジンの各々が、前記ハードコピーエンジンのための少なくとも１つのインクジェットペンとインクジェットペンサービス機能構成要素との両者を有しており、該サービス機能湿式構成要素が、少なくともキャッピング、ノズルワイピング、及び無駄なインクの受容及び除去を行うインクジェットペンサービス機能湿式構成要素を含み、
前記インクジェットハードコピーエンジン内の前記インクジェット記録エンジンを取り外し、
該取り外したインクジェット記録エンジンを、選択したインクジェット記録エンジンと交換する、
という各ステップを含む、インクジェットハードコピー装置の改修方法。
【手続補正書】
【提出日】平成17年5月2日(2005.5.2)
【手続補正１】
【補正対象書類名】明細書
【補正対象項目名】発明の名称
【補正方法】変更
【補正の内容】
【発明の名称】プロジェクター
【手続補正２】
【補正対象書類名】明細書
【補正対象項目名】特許請求の範囲
【補正方法】変更
【補正の内容】
【特許請求の範囲】
【請求項１】  電源と、画像データを生成する画像データ入力と、異なるレベルのパワーを提供する光源と、画像データに従って前記光源からの光線を修正して、画像の光線を生成する画像形成部材と、前記画像形成部材からの光線をスクリーンに拡大投射する投射レンズと、電源の出力を制御して出力パワーを選択的に設定する制御回路と、前記光源のパワーの変化によって生じるホワイトバランスの乱れを補償するように、前記画像形成部材に供給される前の画像データを補正する補正回路と、前記光源の積算点灯時間を計数するカウンタと、前記カウンタによる前記光源の積算点灯時間を記憶するメモリとを備え、又、前記電源の出力パワーの変化が、前記光源の出力パワーを変化させるのに使用され、更に、前記制御回路が、前記光源の輝度を一定に保つように、前記メモリに記憶された前記光源の積算点灯時間の経過により前記電源の出力を変化させるプロジェクター。
【請求項２】  前記画像形成部材が液晶パネルからなり、前記補正回路が、更に、前記液晶パネルの印加電圧と透過率の間の関係によって生じる光強度の変化を補償するように、画像データを補正する請求項１に記載のプロジェクター。
【請求項３】  前記補正回路が、複数の参照用テーブル（Ｔ１〜Ｔｎ）と、参照用テーブル（Ｔ１〜Ｔｎ）を切換える切換えスイッチとを備える請求項１又は２に記載のプロジェクター。
【請求項４】  電源と、前記電源によって駆動される複数の光源と、前記光源からの光線を画像の光線に生成する画像形成部材と、前記画像形成部材で生成された画像をスクリーンに拡大投射する投射レンズと、前記複数の光源を選択的に点灯するように前記電源を制御する制御回路とを備え、前記制御回路は、前記複数の光源が選択的に点灯される時に、その複数の各光源の積算点灯時間に基づいた優先順位に従って光源を点灯させるプロジェクター。
【請求項５】プロジェクターが設置される部屋の明るさに従って、前記制御回路により前記複数の光源が選択的に点灯されるようにした請求項４に記載のプロジェクター。
【請求項６】  前記電源は異なる電圧レベルを生成するＤ／Ａ変換器を備える請求項４に記載のプロジェクター。
【請求項７】  光源のパワーの変化によって生じるホワイトバランスの乱れを補償するように、前記画像形成部材に供給される前の画像データを補正する補正回路を更に備える請求項４乃至６のいずれかに記載のプロジェクター。
【請求項８】  プロジェクターの複数の光源を選択的に点灯するように光源を制御する方法において、
前記複数の光源の内、点灯個数についての信号を入力する工程と、全ての光源を点灯することを試みると共に、光源の内の使用可能なものの数が前記信号によって指定された所定数以上であるか否かを決定する工程と、上記決定に基づいて、光源の内のいずれを使用すべきかを光源の積算点灯時間の小さいものから順に優先的に選択し、かつ選択されない光源を消灯する工程とを備える方法。
【請求項９】  信号が、遠隔制御ユニットを操作することによって入力される請求項８に記載の方法。
【請求項１０】  信号が、部屋の明るさを検出するセンサーによって生成される請求項８に記載の方法。
【手続補正３】
【補正対象書類名】明細書
【補正対象項目名】０００１
【補正方法】変更
【補正の内容】
【０００１】
【発明の属する技術分野】
本発明は、光源の出力が選択的に設定されるプロジェクターに関する。
【手続補正４】
【補正対象書類名】明細書
【補正対象項目名】０００６
【補正方法】変更
【補正の内容】
【０００６】
【発明が解決しようとする課題】
従って、本発明の目的は、光源の寿命を長くすると共に消費電力を節約するプロジェクターを提供することである。
【手続補正５】
【補正対象書類名】明細書
【補正対象項目名】０００７
【補正方法】変更
【補正の内容】
【０００７】
【課題を解決するための手段】
本発明のこの目的を達成するために、光源のパワーを変化させ、かつこれによって生じるホワイトバランスの乱れを補償するように、画像データを補正する補正回路を備えるプロジェクターである。
【手続補正書】
【提出日】平成16年3月25日(2004.3.25)
【手続補正１】
【補正対象書類名】明細書
【補正対象項目名】特許請求の範囲
【補正方法】変更
【補正の内容】
【特許請求の範囲】
【請求項１】  アヤメ科抽出物を含んで成るエストロゲン型の器官選択性薬剤であって、向子宮性作用を持たないか又は少なくとも無視できる作用を持つことを特徴とし、但し、当該薬剤が更年期周辺及び更年期後の障害の軽減のために使用される場合には当該薬剤はベラムカンダ・シネンシス抽出物を含まない、エストロゲン型の器官選択性薬剤。
【請求項２】  前記抽出物がベラムカンダ・シネンシスから産生されることを特徴とする、請求項１に記載のエストロゲン型の器官選択性薬剤。
【請求項３】  シミシフガ・ラセモサ（Ｃｉｍｉｃｉｆｕｇａ  ｒａｃｅｍｏｓａ）抽出物を含んで成るエストロゲン型の器官選択性薬剤であって、向子宮性作用を持たないか又は少なくとも無視できる作用を持つことを特徴とし、但し、当該薬剤が更年期周辺及び更年期後の障害及び月経困難症の軽減のために使用されないことを特徴とする、エストロゲン型の器官選択性薬剤。
【請求項４】  アヤメ科抽出物以外のテクトリゲニン及び／又はテクトリゲニングリコシドを含む抽出物、あるいはテクトリゲニン及び／又はテクトリゲニングリコシドに富む抽出物を含んで成る、エストロゲン型の器官選択性薬剤であって、向子宮性作用を持たないか又は少なくとも無視できる作用を持つことを特徴とする、エストロゲン型の器官選択性薬剤。
【請求項５】  心臓血管疾患の選択的な治療及び／又は予防のための、請求項１〜３のいずれか１項に記載の抽出物を含んで成る調製済みの薬剤。
【請求項６】  アテローム性動脈硬化の選択的な治療及び／又は予防のための、請求項１〜３のいずれか１項に記載の抽出物を含んで成る調製済みの薬剤。
【請求項７】  骨粗鬆症の選択的な治療及び／又は予防のための、請求項１〜３のいずれか１項に記載の抽出物を含んで成る調製済みの薬剤。
【請求項８】  更年期障害の選択的な治療及び／又は予防のための、請求項１〜４のいずれか１項に記載の抽出物を含んで成る調製済みの薬剤。
【請求項９】  一過性熱感の予防又は軽減のための、請求項１〜４のいずれか１項に記載の抽出物を含んで成る調製済みの薬剤。
【請求項１０】  テクトリゲニン及び／又はテクトリゲニングリコシドを含む、エストロゲン型の器官選択性薬剤であって、向子宮性作用を持たないか又は少なくとも無視できる作用を持つことを特徴とする、エストロゲン型の器官選択性薬剤。
【請求項１１】  心臓血管疾患；骨粗鬆症；及び更年期障害の選択的治療及び／又は予防のための、請求項１０に記載のエストロゲン型の器官選択性薬剤。
【請求項１２】  アテローム性動脈硬化の選択的処置及び／又は予防のための、請求項１０に記載のエストロゲン型の器官選択性薬剤。
【請求項１３】  一過性熱感の予防又は軽減のための、請求項１０に記載のエストロゲン型の器官選択性薬剤。
【手続補正書】
【提出日】平成17年3月17日(2005.3.17)
【手続補正１】
【補正対象書類名】明細書
【補正対象項目名】特許請求の範囲
【補正方法】変更
【補正の内容】
【特許請求の範囲】
【請求項１】  重合体材料中に分散された水素化触媒を含み、該重合体材料は実質的に水素と反応性でなく、そして該重合体材料は水素および酸素に対して透過を制限し、ヒートシンクを与える、水素および酸素のガス混合物から水素を除去するための組成物。
【請求項２】  水素化触媒が不活性媒体上に分散された貴金属を含む請求項１記載の組成物。
【請求項３】  水素化触媒が炭素上に分散されたＰｄを含む請求項２記載の組成物。
【請求項４】  Ｐｄの濃度が触媒の質量の１〜１０wt％である請求項３記載の組成物。
【請求項５】  Ｐｄの濃度が触媒の質量の約１％である請求項３記載の組成物。
【請求項６】  水素化触媒の濃度が１〜９５wt％である請求項１記載の組成物。
【請求項７】  重合体材料が、
１）ｉ）Ｐｔ化合物および他の金属を主原料とする化合物によるような、二成分触媒付加硬化；もしくは
ii）酢酸、メタノールもしくはオキシムを一般的に遊離するような、一成分湿分硬化；
を含む、シリコーンを主原料とする触媒分散体；
２）水性アクリル塗料分散体；
３）水性クロム酸亜鉛プライマー分散体；
４）水もしくは有機溶媒のようなビヒクル中の顔料およびレジン（インク）；
５）酸素、熱もしくはＵＶ照射により硬化される塗料の溶媒および無溶媒サスペンション；
およびそれらの組み合わせ、
からなる群より選択される請求項１記載の組成物。
【請求項８】  ａ）水素化触媒をシリコーンマトリックス材料と混合すること、
ｂ）シリコーンマトリックス材料を硬化させて、シリコーン化水素化触媒を生成させること；および、
ｃ）シリコーン化水素化触媒をゴム材料と混合すること、
を含む、水素および酸素の混合物から水素を除去するための組成物を製造する方法。
【請求項９】  ゴム材料が、スチレン／ブタジエンゴム、シリコーン主体のゴム、スチレン／ブタジエン／アクリロニトリルゴムおよびポリブタジエンゴムからなる群より選択される請求項８記載の方法。
【請求項１０】  水素化触媒が不活性基体上に分散された貴金属である請求項８記載の方法。
【請求項１１】  水素化触媒が炭素上に担持したパラジウムである請求項１０記載の方法。
【請求項１２】  パラジウムの濃度が触媒の質量の１〜１０wt％である請求項１１記載の方法。
【請求項１３】  水素化触媒が、約８０：２０の質量比でシリコーンマトリックス材料と混合される請求項８記載の方法。
【請求項１４】  ゴム材料シリコーン化水素化触媒の質量比が１０：９０〜７５：２５である請求項８記載の方法。
【請求項１５】  ゴム／シリコーン化水素化処理組成物を液状媒体中に分散させ、ついでその分散体を表面に塗布することを含む、塗布工程、をさらに含む請求項８記載の方法。
【請求項１６】  水素および酸素の混合物から水素を除去する方法であり、重合体材料中に分散された水素化触媒を、水素および酸素の混合物と接触させることを含み、該水素化触媒は水素および酸素の混合物中で、水素および酸素の制御された反応を触媒作用し、さらに該重合体材料は実質的に水素と反応性でなく、水素および酸素に対して透過を制限し、ヒートシンクを与えることによって、水素および酸素の反応を軽減することを特徴とする水素の除去方法。
【請求項１７】  水素化触媒が不活性媒体に分散された貴金属を含む請求項１６記載の方法。
【請求項１８】  水素化触媒が炭素上に分散されたＰｄを含む請求項１７に記載の方法。
【請求項１９】  Ｐｄの濃度が、触媒の質量の１〜１０wt％である請求項１８記載の方法。
【請求項２０】  水素化触媒の濃度が１〜９５wt％である請求項１８記載の方法。
【請求項２１】  重合体材料が、
１）ｉ）Ｐｔ化合物および他の金属を主原料とする化合物によるような、二成分触媒付加硬化；もしくは
ii）酢酸、メタノールもしくはオキシムを一般的に遊離するような、一成分湿分硬化；
を含む、シリコーンを主原料とする触媒分散体；
２）水性アクリル塗料分散体；
３）水性クロム酸亜鉛プライマー分散体；
４）水もしくは有機溶媒のようなビヒクル中の顔料およびレジン（インク）；
５）酸素、熱もしくはＵＶ照射により硬化される塗料の溶媒および無溶媒サスペンション；
およびそれらの組み合わせ、
からなる群より選択される請求項１８記載の方法。
【手続補正２】
【補正対象書類名】明細書
【補正対象項目名】０００９
【補正方法】変更
【補正の内容】
【０００９】
水素に実質的に反応しない重合体マトリックス中に、貴金属水素化触媒、好ましくは炭素のような不活性媒体上に分散されたＰｄ、を分散させることにより、貴金属触媒の存在下で、水素および酸素間の潜在的に爆発的な反応を軽減することが可能であり、その結果、水素は安全に除去されうることを、本発明者は見出した。重合体マトリックスは、二つの機能に役立つと考えられる：１）反応性の水素および酸素ガスを透過制限して、これらのガスが水素化触媒に拡散する速度を低下させ、これにより、生じる熱の生成を減少させる；２）ヒートシンクとして、水素および酸素間の反応熱をただちに吸収して触媒から遠ざけるので、温度は水素および酸素の混合物の発火温度まで上昇しえない。
【手続補正３】
【補正対象書類名】明細書
【補正対象項目名】００１２
【補正方法】変更
【補正の内容】
【００１２】
水素および酸素の濃度が爆発範囲でありうる水素酸素混合物から水素を除去するのに適した組成物は、重合体マトリックス材料に、約１〜９５wt％、好ましくは１〜３０wt％の水素化触媒、好適には、炭素もしくはアルミナのような不活性媒体上に分散された１〜１０wt％Ｐｄを添加することにより製造されうる。上記のマトリックス材料は、次のような群から選択される。
Ｐｔ化合物および他の金属を主原料とする化合物によるような、二成分触媒付加硬化（2-part catalyzed addition cure）を含むシリコーンを主原料とする触媒分散体；酢酸、メタノールもしくはオキシムを一般的に遊離する（release）ような一成分水分硬化；水性アクリル塗料分散体；水性クロム酸亜鉛プライマー分散体；水もしくは有機溶媒のようなビヒクル中の顔料およびレジン（インク）；および酸素、熱もしくはＵＶ照射により硬化される塗料（coatings）の溶媒および無溶媒サスペンション；ならびにそれらの組み合わせ。
これらの組成物は、一体物、熱もしくはＵＶ硬化性塗料、接着剤、またはポッティング剤として、または当業者に明らかな多くの他の形態で製造されうる。
【手続補正書】
【提出日】平成17年3月7日(2005.3.7)
【手続補正１】
【補正対象書類名】明細書
【補正対象項目名】特許請求の範囲
【補正方法】変更
【補正の内容】
【特許請求の範囲】
【請求項１】  2(RまたはS)-[2R-(S-ヒドロキシ-ヒドロキシカルバモイル-メチル)-4-メチル-ペンタノイルアミノ]-2-フェニル-エタン酸  シクロペンチルエステル、
2(RまたはS)-(3S-ヒドロキシカルバモイル-2R-イソブチル-ヘキス-5-エノイルアミノ)-2-フェニルエタン酸  イソプロピルエステル、
2(RまたはS)-[2R-(S-ヒドロキシカルバモイル-メトキシ-メチル)-4-メチル-ペンタノイルアミノ]-3-フェニルエタン酸  シクロペンチルエステル、
2(RまたはS)-(3S-ヒドロキシカルバモイル-2R-イソブチル-ヘキス-5-エノイルアミノ)-2-(4-メトキシフェニル)エタン酸  シクロペンチルエステル、
2(RまたはS)-(3S-ヒドロキシカルバモイル-2R-イソブチル-ヘキス-5-エノイルアミノ)-2-(チエン-2-イル)エタン酸  シクロペンチルエステル、
2(RまたはS)-(3S-ヒドロキシカルバモイル-2R-イソブチル-ヘキス-5-エノイルアミノ)-2-(チエン-3-イル)エタン酸  シクロペンチルエステル
からなる群より選択される化合物および医薬的または獣医薬的に許容されるそれらのエステル。
【請求項２】  2-Sジアステレオマーである請求項１に記載の化合物。
【請求項３】  請求項１または２に記載の化合物と医薬的または獣医薬的に許容される賦形剤または担体とを含む哺乳動物用医薬組成物。
【請求項４】  哺乳動物の腫瘍細胞の増殖を抑制するために用いられる請求項３に記載の医薬組成物。
【請求項５】  リンパ腫、白血病、骨髄腫、腺癌、癌腫、中皮腫、奇形癌、絨毛上皮腫、小細胞癌、大細胞癌、黒色腫、網膜芽腫、線維肉腫、平滑筋肉腫、グリア芽腫または内皮腫細胞の過増殖に用いられる請求項３または４に記載の医薬組成物。
【手続補正書】
【提出日】平成16年4月8日(2004.4.8)
【手続補正１】
【補正対象書類名】明細書
【補正対象項目名】特許請求の範囲
【補正方法】変更
【補正の内容】
【特許請求の範囲】
【請求項１】  ３β−ヒドロキシ−５α−プレグナン−２０−オンを含む、ステロイド誘導性気分障害を治療および／または予防するための医薬組成物。
【請求項２】  ３β−ヒドロキシ−５α−プレグナン−２０−オンを以下の投与経路：静脈内、経鼻、直腸内、鞘膜内、経皮および経口、のいずれかにより投与するための、請求項１記載の医薬組成物。
【請求項３】  ３β−ヒドロキシ−５α−プレグナン−２０−オンを静脈内に投与するための請求項１記載の医薬組成物。
【請求項４】  ３β−ヒドロキシ−５α−プレグナン−２０−オンを経鼻的に投与するための請求項１記載の医薬組成物。
【請求項５】  ３β−ヒドロキシ−５α−プレグナン−２０−オンを含む、ステロイド誘導性ＣＮＳ疾患を治療および／または予防するための医薬組成物。
【請求項６】  ３β−ヒドロキシ−５α−プレグナン−２０−オンを含む、閉経後治療のステロイド誘導性副作用を治療および／または予防するための医薬組成物。
【請求項７】  ３β−ヒドロキシ−５α−プレグナン−２０−オンを含む、経口避妊薬のステロイド誘導性副作用を治療および／または予防するための医薬組成物。
【請求項８】  ３β−ヒドロキシ−５α−プレグナン−２０−オンを含む、ステロイド麻酔を制御し終了させるための医薬組成物。
【請求項９】  ３β−ヒドロキシ−５α−プレグナン−２０−オンを含む、ステロイド誘導性疲労を治療および／または予防するための医薬組成物。
【請求項１０】  ３β−ヒドロキシ−５α−プレグナン−２０−オンを含む、ステロイド誘導性記憶障害を治療および／または予防するための医薬組成物。
【請求項１１】  ３β−ヒドロキシ−５α−プレグナン−２０−オンを含む、以下のいずれかのステロイド誘導性疾患：癲癇、月経周期依存性癲癇、鬱病、ストレス関連性鬱病、偏頭痛、疲労および特にストレス関連性疲労、月経前症候群、月経前不快症、月経周期連鎖性気分変化、月経周期連鎖性記憶変化、ストレス関連性記憶変化、アルツハイマー性痴呆、月経周期連鎖性集中困難、月経周期連鎖性睡眠障害および疲労、またはそれらの組み合わせを治療および／または予防するための医薬組成物。
【手続補正書】
【提出日】平成17年2月17日(2005.2.17)
【手続補正１】
【補正対象書類名】明細書
【補正対象項目名】特許請求の範囲
【補正方法】変更
【補正の内容】
【特許請求の範囲】
【請求項１】  （ａ）スペーサー層により分離された対向する作用電極および参照電極により画成された反応ゾーンを備え、前記参照電極が第１のスルフヒドリル末端基と第２のスルホネート末端基とを含む自己集合性分子から構成される均質な表面修飾層により修飾された表面を有し、前記スルフヒドリル末端基および前記スルホネート末端基は低級アルキル結合基により分離され、すべての前記自己集合性分子は同一であり、
（ｂ）前記作用電極はレドックス試薬系が存在する表面を有し、前記レドックス試薬系は少なくとも１種の酵素とメジエーターとを含む、
電気化学的試験ストリップ。
【請求項２】  前記電極の少なくとも一方が金、パラジウム、銀、イリジウム、炭素、ドープされた酸化インジウム錫およびステンレス鋼からなる群から選ばれる金属を含む請求項１記載の電気化学的試験ストリップ。
【請求項３】  前記自己集合性分子が式：
ＨＳ−（ＣＨ2 ）n −ＳＯ3 Ｙ
（式中：ｎは１乃至６の整数；および
ＹはＨまたはカチオン）
で表される請求項１または請求項２記載の電気化学的試験ストリップ。
【請求項４】  前記少なくとも１種の酵素が酸化酵素を含む請求項１、請求項２または請求項３記載の電気化学的試験ストリップ。
【請求項５】  前記酸化酵素がグルコース酸化酵素である請求項４記載の電気化学的試験ストリップ。
【請求項６】  前記自己集合性分子が２−メルカプトエタンスルホン酸またはその塩である請求項１乃至請求項５のいずれか１つに記載の電気化学的試験ストリップ。
【請求項７】  前記反応ゾーンの体積が約０．１μｌ乃至１０μｌの範囲内である請求項１乃至請求項６のいずれか１つに記載の電気化学的試験ストリップ。
【請求項８】  生理学的サンプル中の検体の濃度を測定する方法であって、
（ａ）請求項１乃至請求項７のいずれか１つに記載の生理学的サンプルを電気化学的試験ストリップに適用し、
（ｂ）前記反応ゾーンの電気信号を前記金属電極を用いて検出し、かつ
（ｃ）前記検出された電気信号を前記サンプル中の検体の量と関係づける
ことを含む方法。
【請求項９】  前記検体がグルコースである請求項８記載の方法。
【請求項１０】  生理学的サンプル中の検体の濃度を測定するのに使用するキットであって、
（ａ）請求項１乃至請求項７のいずれか１つに記載の電気化学的試験ストリップと、
（ｂ）（ｉ）前記生理学的サンプルを得るための手段、および
（ｉｉ）検体標準
の少なくとも一方とを備えるキット。
【手続補正書】
【提出日】平成15年11月19日(2003.11.19)
【手続補正１】
【補正対象書類名】明細書
【補正対象項目名】特許請求の範囲
【補正方法】変更
【補正の内容】
【特許請求の範囲】
【請求項１】
ＮＫ−Ｔ細胞を介した免疫反応を阻害するための組成物であって、ＭＨＣクラスＩ又はＭＨＣクラスＩ様分子と反応し、ＭＨＣクラスＩ又はＭＨＣクラスＩ様分子とＮＫ−Ｔ細胞上のＣＤ１５８ａ、ＣＤ１５８ｂ、及びＣＤ１６１より成る群から選択されるレセプターとの相互作用を阻害する物質を含む前記組成物。
【請求項２】
前記物質が抗体を含む、請求項１に記載の組成物。
【請求項３】
ＭＨＣクラスＩ様分子がＣＤ１ｄである、請求項１に記載の組成物。
【請求項４】
皮膚又は皮膚外疾患を治療するための組成物であって、ＭＨＣクラスＩ又はＭＨＣクラスＩ様分子とＮＫ−Ｔ細胞上のレセプターとの相互作用を阻害する物質を含む前記組成物。
【請求項５】
皮膚又は皮膚外疾患が乾癬、アトピー性皮膚炎、アレルギー性／刺激性接触皮膚炎、エリテマトーデス、扁平苔癬、薬物反応、円形脱毛症、及びアンドロゲン性脱毛症より成る群から選択される、請求項４に記載の組成物。
【請求項６】
患者の乾癬又は乾癬に対する感受性を判断するためのｉｎ  ｖｉｔｒｏの方法であって、新規リガンド／レセプター中の突然変異を検出することを含む前記方法。
【請求項７】
新規リガンド／レセプターがＮＫ−Ｔ細胞レセプター又はその相同体を含む、請求項６に記載の方法。
【請求項８】
ＮＫ−Ｔ細胞レセプターがＣＤ９４、ＣＤ１５８ａ、ＣＤ１５８ｂ、及びＣＤ１６１より成る群から選択される、請求項７に記載の方法。
【請求項９】
新規リガンド／レセプターがＭＨＣクラスＩ又はＭＨＣクラスＩ様分子を含む、請求項６に記載の方法。
【請求項１０】
ＭＨＣクラスＩ分子がＣＤ１ｄである、請求項９に記載の方法。
【請求項１１】
皮膚疾患を治療するための組成物であって、ＮＫ−Ｔ細胞レセプター又はＮＫ−Ｔ細胞レセプターに関連した細胞情報伝達経路の成分を活性化する物質を含む前記組成物。
【請求項１２】
組成物がＮＫ−Ｔ細胞レセプターを活性化する、請求項１１に記載の組成物。
【請求項１３】
組成物がＮＫ−Ｔ細胞レセプターに結合する抗体を含む、請求項１２に記載の組成物。
【請求項１４】
抗体が更に主要組織適合性複合体クラスＩ又はクラスＩ様分子に結合する、請求項１３に記載の組成物。
【請求項１５】
組成物がＮＫ−Ｔ細胞レセプターに関連した細胞情報伝達経路の成分を活性化する、請求項１１に記載の組成物。
【請求項１６】
皮膚疾患が皮膚感染症である、請求項１１に記載の組成物。
【請求項１７】
皮膚感染症がウイルス性、細菌性又は真菌性病原体により引き起こされる、請求項１６に記載の組成物。
【請求項１８】
皮膚疾患が腫瘍である、請求項１１に記載の組成物。
【請求項１９】
皮膚疾患を治療するための組成物であって、新規レセプター／リガンドの発現を変える物質を含む組成物。
【手続補正書】
【提出日】平成14年7月22日(2002.7.22)
【手続補正１】
【補正対象書類名】明細書
【補正対象項目名】発明の名称
【補正方法】変更
【補正の内容】
【発明の名称】耐紫外線性および難燃性を有する共押出艶消しポリエステルフィルムおよびその使用ならびにその製造方法
【手続補正書】
【提出日】平成14年8月22日(2002.8.22)
【手続補正１】
【補正対象書類名】明細書
【補正対象項目名】特許請求の範囲
【補正方法】変更
【補正の内容】
【特許請求の範囲】
【請求項１】
複数の円筒形窪みを有する本体と、
各々が少なくとも１つのアパーチャを有し前記複数の円筒形窪みの各々の一端を閉じる弾性膜と、
付与された電気信号に応答して前記弾性膜を選択的に変位させる膜変位手段と、
前記窪みの全てにおける流体と接触し、前記流体のバルク操作を与えて、前記バルクの圧力波が全ての弾性膜に付与されるようにすることにより、前記バルク操作と前記選択的な膜変位とを組み合わせて前記アパーチャを通じて流体液滴を選択的に噴出するバルク変位手段と、
を備えることを特徴とする二次元配列液滴エゼクター。
【請求項２】
前記本体は、マスキングやエッチングによって前記複数の円筒形窪みを形成するようシリコン微細機械加工されている請求項１に記載の二次元配列液滴エゼクター。
【請求項３】
前記本体は、半導体物質、金属、プラスチック、若しくはガラスから選択される請求項１に記載の二次元配列液滴エゼクター。
【請求項４】
前記弾性膜は半導体物質である請求項２に記載の二次元配列液滴エゼクター。
【請求項５】
前記弾性膜は窒化ケイ素、シリコン、半導体物質、プラスチック、金属、若しくはガラスから選択される請求項２又は３に記載の二次元配列液滴エゼクター。
【請求項６】
前記バルク変位手段は、せん断、若しくは長手方向モードで動作する厚さモード圧電変換器を備える請求項１に記載の二次元配列液滴エゼクター。
【請求項７】
前記バルク変位手段は、静電式、圧電式、静磁気式、磁気ひずみ式、若しくは空気式から成るグループから選択される請求項１に記載の二次元配列液滴エゼクター。
【請求項８】
前記膜変位手段は、静電式、電磁式、磁気ひずみ式、圧電式、および熱式から成るグループから選択される請求項１に記載の二次元配列液滴エゼクター。
【請求項９】
前記膜変位手段は、静電式、電磁式、磁気ひずみ式、圧電式、および熱式から成るグループから選択される請求項７に記載の二次元配列液滴エゼクター。
【請求項１０】
前記バルク流体変位手段は、前記複数の円筒形窪みの各々に１つずつ関連付けられた複数の変位手段と、前記個々のバルク変位手段を選択的に励起する手段と、を備える請求項１０に記載の二次元配列液滴エゼクター。
【請求項１１】
複数の窪みを有する基体と；各々が少なくとも１つのアパーチャを有し、前記複数の窪みの各々の一端を閉じる弾性膜と；付与された電気信号に応答して、前記弾性膜を選択的に変位させる膜変位手段と；前記流体と関連付けられ、前記流体のバルク操作を行って、前記バルクの圧力波が全ての弾性膜に付与されるようにすることにより、前記バルク操作と前記選択的な膜変位とを組み合わせて液滴を選択的に噴出するバルク変位手段と、を備える型の二次元液滴エゼクター配列の動作方法において、
液滴を噴出することなく各アパーチャにおいてメニスカスを形成するのに十分な振幅を有するバルク操作波を付与し、液滴を噴出するのに十分な振幅の電気信号を前記膜変位手段に選択的に付与する段階を備えることを特徴とする方法。
【請求項１２】
バルク操作波は前記アパーチャの各々から液滴を噴出するのに十分な振幅を有し、電気信号は所定のアパーチャからの液滴の噴出を禁止するために前記膜変位手段に付与される、請求項１１に記載の二次元液滴エゼクター配列の動作方法。
【請求項１３】
前記膜を振動させる電気信号を前記膜変位手段に付与する段階を有する請求項１１または１２に記載の方法。
【手続補正書】
【提出日】平成15年5月8日(2003.5.8)
【手続補正１】
【補正対象書類名】明細書
【補正対象項目名】特許請求の範囲
【補正方法】変更
【補正の内容】
【特許請求の範囲】
【請求項１】
コンピュータのＵＳＢソケットに直接挿入することができ、磁気ディスクまたはＣＤ-ＲＯＭに代わるものとして機能するように作動し、コンピュータにインストールされたソフトウエアを記憶することができ、またはコンピュータに存在するユーザのデータを受信しかつ記憶することができ、コンピュータのＵＳＢソケットに直接接続するためのＵＳＢプラグである接続装置と、ＵＳＢプラグに接続されるインターフェース装置と、メモリ制御装置と、非揮発性固体メモリ装置とを備え、メモリ制御装置はインターフェース装置およびメモリ装置間に接続されてメモリ装置からＵＳＢプラグへのデータの流れを制御するポータブルデータ記憶装置。
【請求項２】
メモリ制御装置がパスワードを受信し、それをメモリ装置に記憶されている対応するパスワードと比較して、メモリ装置の内容へのアクセスが許可されるか否かを決定するように作動する請求項１記載の装置。
【請求項３】
読取り／書込みメモリ装置がフラッシュメモリ装置である請求項１または２記載の装置。
【請求項４】
メモリ制御装置がメモリ装置へのデータの流れ、およびメモリ装置からのデータの流れを制御する請求項１乃至３のいずれかに記載の装置。
【請求項５】
メモリ装置へのデータの書込みがエネーブルにされる第１の位置と、メモリ装置へのデータの書込みが阻止される第２の位置との間で可動である手動スイッチをさらに備えた請求項１乃至４のいずれかに記載の装置。
【請求項６】
メモリ制御装置がマイクロ制御装置を含む請求項１乃至５のいずれかに記載の装置。
【請求項７】
ＵＳＢプラグおよびＵＳＢソケットがＩＥＥＥ１３９４（ファイヤワイヤ）プロトコルおよびファイヤワイヤプロトコル互換性ソケットによりそれぞれ置換され、インターフェース装置はファイヤワイヤプロトコル駆動装置である請求項１乃至６のいずれかに記載の装置。
【手続補正書】
【提出日】平成15年10月10日(2003.10.10)
【手続補正１】
【補正対象書類名】明細書
【補正対象項目名】特許請求の範囲
【補正方法】変更
【補正の内容】
【特許請求の範囲】
【請求項１】
Ｃ5〜Ｃ15の範囲のフィッシャー−トロプシュオレフィンの複分解の為の高温複分解方法であって、前記複分解方法が、Ｃ5〜Ｃ15の範囲のフィッシャー−トロプシュオレフィン供給原料を、３００℃〜６００℃の温度と１〜３０バールの圧力で複分解触媒と接触させる工程を含み、前記オレフィン供給原料がモノメチル分岐オレフィンを含む事を特徴とする方法。
【請求項２】
前記方法が４５０℃〜５５０℃の温度で行われる、請求項１に記載の高温複分解方法。
【請求項３】
前記複分解触媒がタングステンとモリブデンを含む触媒から選ばれる、請求項１又は２に記載の高温複分解方法。
【請求項４】
前記方法の複分解触媒がＷＯ3とＭｏＯ3触媒から選ばれる、請求項３に記載の高温複分解方法。
【請求項５】
前記Ｃ5〜Ｃ15の範囲のフィッシャー−トロプシュオレフィン供給原料が、少なくとも直鎖アルファオレフィンとモノメチル分岐オレフィンを含む、請求項１〜４の何れか一項に記載の高温複分解方法。
【請求項６】
前記フィッシャー−トロプシュオレフィン供給原料が、Ｃ5〜Ｃ9の範囲から選ばれる一種以上のオレフィンを含む、請求項１〜５の何れか一項に記載の高温複分解方法。
【請求項７】
Ｃ5〜Ｃ15の範囲のオレフィンの複分解の為の高温複分解方法であって、前記複分解方法が、Ｃ5〜Ｃ15の範囲のオレフィン供給原料を、３００℃〜６００℃の温度と１〜３０バールの圧力で複分解触媒と接触させる工程を含み、該方法が所望の生成物範囲の選択率を増加させる為に複分解反応の生成物の一部を該反応へ再循環させる事を含む事を特徴とする方法。
【請求項８】
オレフィン供給原料が、モノメチル分岐オレフィンを含むフィッシャー−トロプシュオレフィン供給原料である、請求項７に記載の高温複分解方法。
【請求項９】
オレフィン供給原料がＣ5〜Ｃ9の範囲の一種以上のオレフィンを含む、請求項７又は８に記載の高温複分解方法。
【請求項１０】
該方法が、Ｃ5〜Ｃ8の範囲の再循環画分が生成物から分離されて該反応に再循環される分離工程を含み、供給原料における再循環量が、反応供給原料の２０％〜８０％の範囲内で且つ５０％以上のＣ9以上の選択率を与える為に選択される、請求項７〜９の何れか一項に記載の高温複分解方法。
【請求項１１】
供給原料における再循環量が、反応供給原料の１／３〜３／４の範囲内に在る様に選択される、請求項１０に記載の高温複分解方法。
【請求項１２】
請求項１〜１１の何れか一項に記載の高温複分解方法によって製造される高温複分解方法生成物の組成物であって、直鎖高温複分解方法生成物対分岐高温複分解方法生成物の比が１：１より大きい組成物。
【請求項１３】
直鎖高温複分解方法生成物対分岐高温複分解方法生成物の比が２：１より大きい、請求項１２に記載の組成物。
【請求項１４】
直鎖高温複分解方法生成物対分岐高温複分解方法生成物の比が３：１である、請求項１３に記載の組成物。
【請求項１５】
高温複分解方法生成物の分岐が、主にモノメチル分岐である、請求項１２〜１４の何れか一項に記載の組成物。
【請求項１６】
高温複分解方法生成物の分岐が、ジメチル及び／又はエチル分岐を含む、請求項１５に記載の組成物。
【請求項１７】
請求項１２〜１６の何れか一項に記載の組成物であって、アルキルべンゼン、可塑剤、洗剤、及び／又は掘削液の製造に使用され、直鎖対分岐画分の比が、それらの製造において使用される直鎖高温複分解方法生成物対分岐高温複分解方法生成物の比に関連する直鎖画分と分岐画分とを有する組成物。
【手続補正書】
【提出日】平成16年4月6日(2004.4.6)
【手続補正１】
【補正対象書類名】明細書
【補正対象項目名】特許請求の範囲
【補正方法】変更
【補正の内容】
【特許請求の範囲】
【請求項１】  離散して間隔を隔てて配置される順応可能な複数の音響センサエレメントパッドであって、その各々が、圧電性材料から成る活性センサエレメントを含み、適用対象構造体の形状に順応可能であり、かつ、作動中においては、音響信号によって誘起されるたわみに応答して電気信号を生成するように構成された複数の音響センサエレメントパッドと、
前記複数の音響センサエレメントパッドの少なくとも１つに一体に取付けられた少なくとも１つの長さ方向に延びる長手状ストリップであって、互いに反対側に位置する第１及び第２の端部を備える長さを有し、その上に少なくとも１つの離散型電気伝送経路を含む長手状ストリップと、
を備え、
前記長手状ストリップの第２の端部は出力装置に接続されるように構成され、
それぞれの長手状ストリップは、それが一体に取付けられた少なくとも１つの音響センサエレメントパッドが前記長手状ストリップの長手方向から外側に離れて延びるような配置となるように構成され、
いくつかの音響センサエレメントパッドに対応する前記長手状ストリップに配置されたいくつかの離散型電気伝送経路が、それぞれの離散型電気伝送経路と電気的に通信するように構成されたそれぞれの音響センサエレメントと共に前記長手状ストリップによって保持されること、
を特徴とする低縦断面音響センサアレイ。
【請求項２】  前記複数の音響センサエレメントパッドは、相互の間にギャップ空間を備える共通ストリップに取付けられ、かつ、互いに接近して長さ方向に空間をあけて配置される複数の音響センサエレメントパッドとして構成されることを特徴とする請求項１に記載の低縦断面音響センサアレイ。
【請求項３】  少なくとも１つの前記ストリップは、順応可能なセンサ支持フレームにつながる第１の幅を有するネック部を備え、前記センサ支持フレームは、その外側の周辺エッジ部に沿って長さ方向に延びる順応可能なレールを含み、前記音響センサエレメントパッドが取付けられかつ前記少なくとも１つの長さ方向に延びるレールから横方向に延出しており、前記ストリップに配置されたそれぞれの電気伝送経路は、それに対応する音響センサエレメントパッドから横方向に延び、それから少なくとも１つの長さ方向に延びる前記レールに沿って長さ方向に延びており、前記電気伝送経路は、近接して配置される音響センサエレメントパッドに対応する、長さ方向に延びるレール上において近接している電気伝送経路と共に延びていることを特徴とする請求項１又は２に記載の低縦断面音響センサアレイ。
【請求項４】  前記センサ支持フレームは、それの互いに反対側の周辺エッジ部に配置された、間隔を隔てた位置で長さ方向に延びる２つのレールを備えており、前記複数の音響センサエレメントパッドが、互いに近接する音響センサエレメントパッドの間のギャップ空間をもってこれらの間に保持されていることを特徴とする請求項３に記載の低縦断面音響センサアレイ。
【請求項５】  前記複数の音響センサエレメントパッドの各々は、前記互いに反対側のフレームレールのそれぞれの１つに取付けられていることを特徴とする請求項４に記載の低縦断面音響センサアレイ。
【請求項６】  前記少なくとも１つの電気伝送経路は、その長さ方向に沿った一連の波様形状で配置されていることを特徴とする請求項１に記載の低縦断面音響センサアレイ。
【請求項７】  センサエレメントが被検体に実質的に順応であるように前記被検体に取付けられるように構成された第１の外側表面と、第２の外側表面とをそれぞれ有する複数の順応可能なセンサエレメントと、
前記被検体の上に配置している間に前記複数のセンサエレメントを整列状態で保持するために、前記複数のセンサエレメントの各々の前記第２の外側表面に取り外し可能に取付けられる担持部材と、
を備え、
前記センサエレメントが前記被検体の所要場所に取付けられた後で、前記センサエレメントを所要場所から移動させることなしに、前記担持部材が前記センサエレメントから解放されるように構成されていること、
を特徴とする音響センサアレイ。
【請求項８】 前記担持部材は、前記センサエレメントの前記第２の外側表面に接着剤で貼付される単位シートであり、前記センサエレメントが前記被検体に固定された後に、前記担持部材を基体である前記センサエレメントから引き取ることが可能であるように構成されていることを特徴とする請求項７に記載の音響センサアレイ。
【手続補正書】
【提出日】平成15年5月8日(2003.5.8)
【手続補正１】
【補正対象書類名】明細書
【補正対象項目名】特許請求の範囲
【補正方法】変更
【補正の内容】
【特許請求の範囲】
【請求項１】
ａ．ハンドルと、
ｂ．このハンドルに連結され、長手方向の軸にコアを有するとともに、コアの近接端から遠方端まで、コアから前記長手方向の軸に対し直交する横方向に、外側に延びる複数の剛毛を有するブラシ部と、
ｃ．コアを回転するべく、コアに連結されたモータとを備える回転ヘアーブラシにおいて、
前記剛毛と前記コアの間において、モータにより、コアとともに回転可能に設けられた、少なくとも１つのデバイダを備え、このデバイダが、コアから剛毛の外表面近くまで、横方向に延びており、前記デバイダが、使用者の髪と接触するように剛毛に対し遠方端に配置され、コアとデバイダが回転するにつれ、コアの回転軸から遠ざかる方向に押すことにより、使用者の髪がコアにからまらないようにしていることを特徴とするモータ駆動の回転ヘアーブラシ。
【請求項２】
少なくとも１つのデバイダの遠方端が湾曲面である請求項１記載のブラシ。
【請求項３】
剛毛が、コアの長手方向の軸にほぼ平行な方向に延びる、互いに離隔した列として配置され、少なくとも１つのデバイダが剛毛の列の間に配置される請求項１若しく２に記載のブラシ。
【請求項４】
剛毛の各列がコアの長手方向に延び、少なくとも１つのデバイダが剛毛の列の間に配置され、コアの長さとほぼ等しい請求項１〜３のいずれかに記載のブラシ。
【請求項５】
少なくとも１つのデバイダが、コアから延びているとともに、長手方向の対向端に支持体を備えている請求項１〜４のいずれかに記載のブラシ。
【請求項６】
回転ヘアーブラシが、長手方向の近接端と遠方端を有し、ブラシ部が、長手方向の１つの端部において、長手方向にほぼ平行に取り付けた少なくとも１つのディスクを備え、このディスクが、長手方向に直交する横方向に、剛毛の遠方端近くで終端する外表面を有する請求項１〜５のいずれかに記載のブラシ。
【請求項７】
ハンドルが、長手方向に近接端と遠方端を有し、ブラシ部が交換可能で、かつハンドルに対して回転可能なように、ハンドルの近接端が、コアに対し配置されている請求項１〜６のいずれかに記載のブラシ。    
【請求項８】
少なくとも１つのデバイダが、コア上の剛毛の長さのほぼ６０％からほぼ８５％の間で、コアから横方向に延びている請求項１〜７のいずれかに記載のブラシ。
【請求項９】
少なくとも１つのデバイダが、環状に互いに離隔したセグメントよりなる円筒形状である請求項１〜８のいずれかに記載のブラシ。
【請求項１０】
少なくとも１つのデバイダに、少なくとも１つの開口部が設けられ、この開口部を介して、前記デバイダの表面に流体を送るようになっている請求項１〜９のいずれかに記載のブラシ。
【請求項１１】
ブラシが複数のデバイダを備え、各デバイダが、コアとともに単一体を形成し、前記複数のデバイダが、互いに離隔し、剛毛の列が、隣接する対のデバイダの間に設けられている請求項１〜１０のいずれかに記載のブラシ。
【請求項１２】
複数のデバイダが円筒よりなり、デバイダ同士の間に空間が形成され、その空間に剛毛が延びている請求項１〜１１のいずれかに記載のブラシ。
【請求項１３】
コアの長手方向に少なくとも１つの溝が設けられ、この溝に少なくとも１つのタブが配置され、このタブの上に、少なくとも１つのデバイダが配置されている請求項１〜１２のいずれかに記載のブラシ。
【請求項１４】
ハンドル内に設けたモーターが、コアと剛毛と少なくとも１つのデバイダを回転させる請求項１〜１３のいずれかに記載のブラシ。
【請求項１５】
ハンドルに設けた第１のスイッチが、モーターの速度を制御し、またハンドルに設けた第２のスイッチが、モーターの回転方向を制御する請求項１〜１４のいずれかに記載のブラシ。
【請求項１６】
剛毛から離隔したガード部材が、剛毛の長さの少なくとも１部を覆っている請求項１〜１５のいずれかに記載のブラシ。
【請求項１７】
少なくとも１つのデバイダが、このデバイダから使用者の髪の毛に熱移動させるような材料、例えば、シリコーンゴム、TPEのようなエラストマー、Alのような軽金属、硬い耐熱性プラスチックで作られている請求項１〜１６のいずれかに記載のブラシ。
【請求項１８】
ブラシが長手方向に近接端と遠方端を有し、ブラシが、長手方向にほぼ直交する方向に取り付けた２個のディスクを有し、そのうちの１つは、ほぼ近接端に設けられ、残りはほぼ遠方端に設けられ、各ディスクは、剛毛の外端近くで終わる外表面を有する請求項１〜１７のいずれかに記載のブラシ。
【請求項１９】
コアと少なくとも１つのデバイダが、毎分ほぼ３０回転とほぼ１４０回転の間の速度で、モーターにより回転させられる請求項１〜１８のいずれかに記載のブラシ。
【請求項２０】
ハンドルの近接端と遠方端が互いに回転自在である請求項１〜１９のいずれかに記載のブラシ。
【請求項２１】
使用者の髪の毛の中で、ブラシのコアから遠方端まで、外方向に延びる、ヘアーブラシの剛毛を回転軸を中心として回転させる段階と、
コアから遠方面まで外方向に延びる、少なくとも１つのデバイダをコアの剛毛の間に配置し、使用者の髪の毛と接触させ、デバイダとコアが回転軸を中心として回転するにつれ、使用者の髪の毛を回転軸から遠ざかる方向に押す段階を含む髪にブラシをかける方法。
【請求項２２】
デバイダが、外端で湾曲している請求項２２記載の方法。
【請求項２３】
コアと少なくとも１つのデバイダが、毎分ほぼ３０回転とほぼ１４０回転との間の速度で回転している請求項２１若しくは２２記載の方法。
【請求項２４】
コアから少なくとも１つのデバイダの外端までの距離が、コアから剛毛の外端までの距離の、ほぼ６０％とほぼ８５％の間である請求項２１〜２３のいずれかに記載の方法。
【請求項２５】
複数のデバイダが設けられ、剛毛がコア上に列状に設けられ、各デバイダが、剛毛の列の間に設けられている請求項２１〜２４のいずれかに記載の方法